(57)【要約】      （修正有）【課題】ＵＳＢ機能を具備した酸化還元電位測定装置を提供する。【解決手段】ＵＳＢ接続挿入口１０によって、パソコンへの通信接続１７及びプリンタ等の周辺機器接続１８への環境が整う。携帯電話への通信接続１９や有線又は無線でデータ相互受信２０の利用が広がり、ＵＳＢドライブ（外部記憶ディスク）２１によって、固定化された場所でなく、いつでもどこでもパソコン機器への挿入接続２２、携帯電話機器への挿入接続２３によって、さらに医療機関への接続２４、保育園、幼稚園、小・中・高校・大学への接続２５、高齢化社会で急増する高齢者諸施設２６への接続、高齢者の自宅介護家庭２７への接続利用、畜産及び漁業、野菜・果実生産業者２８への接続利用、空港・船舶の出入国口２９への接続利用、一般家庭での利用者３０への相互通信インターフェイスにより個人個人が自分で確認しての対応にとどまらず、地域や組織体対応でウイルス感染等に対して早期の水際対策を図ることができる。【選択図】図４
0003128892.tif 000002
【実用新案登録請求の範囲】
【請求項１】
人間及び動物を含む生体内物質である唾液の酸化体と還元体との活量比率を測定し、少なくとも参照電極と指示電極を設け、指示電極に当接する試料溶液により、体調を総合的に評価するＵＳＢ相互接続を具備した酸化還元電位測定装置において、記憶ディスクを内蔵し、測定した個々のデータをパ−ソナルコンピュ−タ−と周辺機器間の通信インターフェースとのＵＳＢ相互接続を可能にして、測定された健康度状態の結果を健康管理のために統合的に測定、管理することができるようにしたことを特徴とするＵＳＢ機能を具備した酸化還元電位測定装置。
【請求項２】
ＵＳＢドライブ（外部記憶ディスク）の利用を可能にして、測定データをバックアップし、パ−ソナルコンピュ−タ−に差し込み、請求項１に記載の測定された健康度状態の結果を健康管理のために統合的に測定、管理することができるようにしたことを特徴とするＵＳＢ機能を具備した酸化還元電位測定装置。
【請求項３】
ＵＳＢ接続を可能にし、有線又は無線でデータを受信可能な携帯電話と、その携帯電話からインタ−ネットを介して請求項１又は２に記載の測定された健康度状態の結果を健康管理のために統合的に測定、管理することができるようにしたことを特徴とするＵＳＢ機能を具備した酸化還元電位測定装置。
【請求項４】
請求項１に記載の指示電極に当接する試料溶液は、植物、果実の液体における酸化体と還元体の活量比率を測定でき、測定された健康度状態の結果を健康管理のために統合的に測定、管理することができるようにしたことを特徴とするＵＳＢ機能を具備した酸化還元電位測定装置。
【請求項５】
ＵＳＢ接続ボタンを押してのみＵＳＢの接続がＯＮ又はＯＦＦされ、測定した個々のデータをパーソナルコンピューターと周辺機器の通信インターフェイスとのＵＳＢ接続を可能にした請求項１、２、３又は４に記載の測定された健康度状態の結果を健康管理のために統合的に測定、管理することができるようにしたことを特徴とするＵＳＢ機能を具備した酸化還元電位測定装置。
【請求項６】
あらかじめ登録されたＩＤ番号を、その都度入力し、入力ＩＤ番号を照合された後、ＵＳＢ接続ボタンを押してのみＵＳＢ接続がＯＮされ、ＵＳＢドライブ（外部記憶ディスク）のバックアップ及び測定した個々のデータをパ−ソナルコンピュ−タ−と周辺機器の通信インターフェイスとのＵＳＢ接続を可能にした請求項１、２、３、４又は５に記載の測定された健康度状態の結果を健康管理のために統合的に測定、管理することができるようにしたことを特徴とするＵＳＢ機能を具備した酸化還元電位測定装置。
【請求項７】
ＩＤ番号を任意で設定、若しくは解除し、ＵＳＢ接続ボタンを押してのみＵＳＢ接続がＯＮされ、測定した個々のデータをパ−ソナルコンピュ−タ−と周辺機器の通信インターフェイスとのＵＳＢ接続を可能にした請求項１、２、３、４、５又は６に記載の測定された健康度状態の結果を健康管理のために統合的に測定、管理することができるようにしたことを特徴とするＵＳＢ機能を具備した酸化還元電位測定装置。
【請求項８】
ＵＳＢ機能を具備した酸化還元電位測定装置の電源は交換式の乾電池と充電式の乾電池機能を備えた請求項１、２、３、４、５、６又は７に記載の測定された健康度状態の結果を健康管理のために統合的に測定、管理することができるようにしたことを特徴とするＵＳＢ機能を具備した酸化還元電位測定装置。
【考案の詳細な説明】
【技術分野】
【０００１】本考案は溶液の酸化還元電位を測定するＵＳＢ機能を具備した酸化還元電位測定装置にかんする。
【背景技術】
【０００２】酸化還元電位測定装置は指示電極と参照電極を備え、指示電極と参照電極を試料溶液中に挿入し、溶液中の電解質の濃度や酸化体・還元体のイオンの濃度比など酸化還元電位を測定する。従来、酸化還元電位の測定は主に経過測定観察であり排水やプラント水の水質検査など多量の溶液を対象とする。測定結果を瞬時に通信インターフェイスさせる機能及び測定データの流失を防ぐためのセキュリティー機能を有していない。
【特許文献】特開平１１−００９５６６
【考案の開示】
【考案が解決しようとする課題】
【０００３】本考案は、生体液のような緩衝能力の低い試料溶液や少量の試料溶液であってもその酸化還元電位を簡易に、正確に測定しうるだけでなく記憶ディスクを内蔵し、測定した個々のデータをパ−ソナルコンピュ−タ−と周辺機器間の通信インターフェースとのＵＳＢ相互接続を可能にし、プライバシ−保護として、ＩＤ番号を任意で設定もしくは解除できるセキュリティー対策を設けたＵＳＢ機能を具備した酸化還元電位測定装置を提供する。
【課題を解決するための手段】
【０００４】この課題を解決するために本考案にかかるＵＳＢ機能を具備した酸化還元電位測定装置は、少なくとも参照電極と指示電極を設け、指示電極に当接する試料溶液の酸化還元電位を測定する酸化還元電位測定装置において、記憶ディスクを内蔵し、測定した個々のデータをパ−ソナルコンピュ−タ−と周辺機器間の通信インターフェースとのＵＳＢ相互接続を可能にして、健康管理のために統合的に測定、管理することができるようにした。【０００５】人間及び動物を含む生体内物質である唾液の酸化体と還元体との活量比率を測定し、少なくとも参照電極と指示電極を設け、指示電極に当接する試料溶液により、体調を総合的に評価するＵＳＢ相互接続を具備した酸化還元電位測定装置において、ＵＳＢドライバーの利用を可能にして、測定データをバックアップし、パ−ソナルコンピュ−タ−に差し込み、健康管理のための統合的に測定、管理することができるようにした。また、ＵＳＢ接続を可能にしたことにより、有線又は無線でデータを受信可能な携帯電話と、その携帯電話からインタ−ネットを介して遠距離との健康管理に役立てるようにした。【０００６】酸化還元電位測定装置においては、緩衝能力の低いデリケートな生体液や植物、果実等の溶液を測定するには電磁波などによるノイズ、あるいは電流によるノイズによって測定に誤差を生じてはならない。【０００７】そこでパ−ソナルコンピュ−タ−と周辺機器間の通信インターフェースとのＵＳＢ相互接続を具備した酸化還元電位測定装置において、通信機器からの微弱な電磁波によるノイズあるいは電流によるノイズを受け生体液の酸化還元電位測定の測定精度の影響を受けることがないように、本考案の酸化還元電位測定装置本体の内壁には電磁波防御シールドを施すとともに、記憶ディスクをも内蔵しているから測定時には、ＵＳＢ接続ボタンの任意のＯＦＦによってノイズの影響を完全遮断するようにした。記憶ディスクは所定の記憶容量を超えた場合は、公知の記憶ディスクと同様に任意で前データを消去し、新規測定データを記録する。測定後は、記憶ディスクに格納された測定データをＵＳＢ接続をＯＮすることでＵＳＢ相互接続を具備した酸化還元電位測定装置は通信インターフェイスとしての機能となり、酸化還元電位測定への影響はなく（あるいはそのおそれがきわめて小さく）、再現精度の高い測定を実現し、その正確な測定結果を距離に関係なく健康管理のために統合的に測定、管理することができるようにした。
【考案の効果】
【０００８】本考案によるＵＳＢ機能を具備した酸化還元電位測定装置によれば、指示電極に当接する試料溶液は、人間及び動物を含む生体内物質である唾液はもとより植物、果実の液体における酸化体と還元体の活量比率をも測定が可能であり、植物、果実の酸化（腐り）と還元（健全）状態を総合的に評価できるから、人間や動物の食物連鎖における食糧摂取の生活習慣において、距離に関係なく、地球環境における健康管理のための瞬時のチエックシステム体制が取れるようにしたのである。【０００９】近年、人々だけでなく、食糧品及び生産物の世界交流が盛んになり、それとともに種々の病原菌ウイルス感染が懸念される。そこで、万が一感染が確認されても、どの地域、どの年齢層の感染状況であるかなどを把握し、本考案のＵＳＢ機能を具備した酸化還元電位測定装置で乳幼児から高齢者に至るまで、健康状態を確認し早期の対応を図れるのである。【００１０】本考案のＵＳＢ機能を具備した酸化還元電位測定装置によって測定された健康度状態のデータを、プライバシーを勘案したセキュリティー対策として、あらかじめ登録されたＩＤ番号を、その都度入力し、入力ＩＤ番号を照合された後、ＵＳＢ接続ボタンを押してのみＵＳＢ接続がＯＮされ、ＵＳＢドライブ（外部記憶ディスク）のバックアップ及び相互の通信インターフェイス機能を安全に利用できるように配慮した。さらに、ＩＤ番号を任意で設定、若しくは解除できるようにしてセキュリティーに万全対策をしている。
【考案を実施するための最良の形態】
【００１１】本考案を実施するにあたり、横浜・岡沢クリニックにおける人間の唾液の臨床データを［表１］によって幼児・小・中学生、高齢者の風邪及びインフルエンザの臨床結果を示す。前記による感染前後と治療通院での完治後の、本考案のＵＳＢ機能を具備した酸化還元電位測定装置による測定結果である。【００１２】表１及び図３のグラフによれば、黒丸（●）６０歳以上、黒四角（■）２５乃至６０歳以下、黒星（★）０乃至２５歳以下についてみると、本考案の対象である実施例の臨床において、風邪及びインフルエンザとも年齢に関係なく自覚症状前２、３日前から酸化還元電位（ｍＶ）が一応にプラスの高い数値が見られる。発熱などによる自分で自覚症状が出ると、さらにプラスの高い数値となり、治療後においては、限りなくマイナス方向に近い数値を示していることがわかる。このことは人間の唾液検査による体内の酸化体と還元体の活量比率の変化を的確に測定し、自覚症状前の感染変化と自覚症状前後の発熱などが顕著な変化として現れていることを示している。なお、治療後においては体内の酸化（非健康体）状態から還元（健康体）状態に戻り、乳幼児から高齢者ともに安定した健康状態に戻ったことを示している。このことはこれからの少子高齢化社会に向け、体力的な面から風邪やインフルエンザ等のウイルスに感染しやすい弱い立場の人々を守るためにも水際でとどめる早期の対応が、本考案で図れるのである。【００１３】本考案のＵＳＢ機能を具備した酸化還元電位測定装置１の外観斜視図について説明する。図１においてＵＳＢ機能を具備した酸化還元電位測定装置本体のカバー２は、液晶表示部３及び電源ボタン４、ＩＤ番号選択ボタン５、ＵＳＢ接続及びＩＤ番号決定ボタン６、測定ボタン７を被膜し液晶表示部の汚れや傷を付けないようにしている。また、生体である唾液や植物、果実等の被検液を装填する試料槽８を設け、白金指示電極挿入部９より繋がる電極において測定する。さらに、本考案のＵＳＢ機能を具備した酸化還元電位測定装置はＵＳＢ接続挿入口１０を設け、パーソナルコンピューターと周辺機器間の通信インターフェイス機能が果せる条件を満たす。【００１４】そこで、図２においてＵＳＢ機能を具備した酸化還元電位測定装置１は本体の横にＵＳＢ接続挿入口１０を設けることにより２１のＵＳＢドライブ（外部記憶ディスク）を挿入し、貴重なデータをバックアップして保存できる。【００１５】従来の酸化還元電位測定装置は、排水やプラント水等の水質検査測定機能であった。本考案のＵＳＢ機能を具備した酸化還元電位測定装置１は、人間の生体液による個人個人の健康度を測定できることから、健康度データの流失を防ぎ、プライバシーを守る観点から、ＩＤ番号選択ボタン５を設け、ＵＳＢ接続及びＩＤ番号決定ボタン６のＯＮによって、液晶表示部３に０乃至９までの数値が表示され、あらかじめ設定したＩＤ番号との照合をするために、ＩＤ番号を選択ボタン５により、ＩＤ番号の入力をしたのちＵＳＢ接続及びＩＤ番号決定ボタン６をＯＮする。入力されたＩＤ番号判読機能部１３によって照合され、ＩＤ番号が合致した場合にはじめてＵＳＢ接続挿入口１０を介して通信インターフェイス機能及びＵＳＢ（外部記憶ディスク）２１の利用が果たせるようにし、ＵＳＢ接続機能及び任意によるＩＤ番号設定及び解除機能部１２、入力ＩＤ番号判読機能部１３を構成したセキュリティー機能を有している。さらに、使用目的に応じて、同じくＩＤ番号選択ボタン５及びＵＳＢ接続及びＩＤ番号決定ボタン６の操作によってＩＤ番号を任意で設定、若しくは解除でき、ＩＤ番号設定の照合操作は繰返し行うことができる。【００１６】さらには、図４の本考案を実施するためのＵＳＢ機能を具備した酸化還元電位測定装置本体とＵＳＢ接続との概略図について説明する。図４においてＵＳＢ機能を具備した酸化還元電位測定装置１であり、本考案健康度デジタル表示機能部１１を有し、ＩＤ番号設定及び解除機能部１２、セキュリティー対策として入力ＩＤ番号判読機能部１３、所定の記憶容量を超えた場合は公知の記憶ディスクと同様に前データを消去し、新規測定データを記録する測定結果記憶ディスク１４である。さらにＵＳＢ接続ＯＮ、ＯＦＦ機能部１５を備え、交換ができる交換式電池及び充電式電池機能部１６を形成している。【００１７】ＵＳＢ接続挿入口１０によって、パソコンへの通信接続１７及びプリンタ等の周辺機器接続１８への環境が整うのである。このことは携帯電話への通信接続１９や有線又は無線でデータ相互受信２０の利用が広がり、ＵＳＢドライブ（外部記憶ディスク）２１によって、固定化された場所でなく、いつでもどこでもパソコン機器への挿入接続２２、携帯電話機器への挿入接続２３によって健康管理のために統合的に測定、管理することができる。【００１８】なお、風邪、インフルエンザ等のウイルス感染拡大を水際で防ぐための利用として、医療機関への接続２４、保育園、幼稚園、小・中・高校・大学への接続２５、高齢化社会で急増する高齢者諸施設２６への接続、高齢者の自宅介護家庭２７への接続利用、畜産及び漁業、野菜・果実生産業者２８への接続利用、空港・船舶の出入国口２９への接続利用、一般家庭での利用者３０への相互通信インターフェイスにより個人個人が自分で確認しての対応にとどまらず、地域や組織体対応でウイルス感染等に対して早期の水際対策を図ることができる。【００１９】なお本考案のＵＳＢ相互接続を具備した酸化還元電位測定装置１は、ＵＳＢ接続及びＩＤ番号決定ボタン６のＯＮ、ＯＦＦによってのみ通信インターフェイスが接続されるようにしている。通常は、本考案のＵＳＢ機能を具備した酸化還元電位測定装置は、通信機器からの微弱な電磁波によるノイズあるいは電流によるノイズを受け生体液の酸化還元電位測定の測定精度の影響を受けることがないように、本考案の酸化還元電位測定装置本体の内壁には電磁波防御シールドを施すとともに（図示せず）、記憶ディスクをも内蔵しているから測定時にはＵＳＢ接続は完全にＯＦＦされ、生体液の酸化還元電位はノイズの影響を受けることなく（あるいはそのおそれがきわめて小さく）再現精度の高い正確な測定をして測定結果を記憶ディスクに確実に記憶する。記憶ディスクが所定の記憶容量を超えた場合は、公知の記憶ディスクと同様に任意で前データを消去し、新規測定データを記録する。測定後は、記憶ディスクに格納された測定データをＵＳＢ接続をＯＮすることでＵＳＢ相互接続を具備した酸化還元電位測定装置は通信インターフェイスとしての機能となり、健康管理に大いに資するものと考える。
【産業上の利用可能性】
【００２０】本考案のパ−ソナルコンピュ−タ−と周辺機器間の通信インターフェースとのＵＳＢ相互接続を具備した酸化還元電位測定装置において、一般的な酸化還元電位測定装置に関する産業分野のみならず、地球環境における生態系の根幹である酸化状態にあるか還元状態にあるかを総合的に示唆できることで食物連鎖の測定にも大いに資することから、未病段階での早期発見の健康管理計に関する産業分野での利用が期待できる。
【図面の簡単な説明】
【００２１】
【図１】本考案にかかるＵＳＢ機能を具備した酸化還元電位測定装置本体の斜視図である。
【図２】図１のＵＳＢ機能を具備した酸化還元電位測定装置においてＵＳＢドライブ（外部記憶ディスク）を挿入状態の斜視図である。
【図３】本考案実施における人間の唾液臨床、風邪及びインフルエンザにおける測定結果を示すグラフである。
【図４】本考案を実施するためのＵＳＢ機能を具備した酸化還元電位測定装置本体とＵＳＢ接続との概略図である。
【符号の説明】
【００２２】  １  本考案のＵＳＢ機能を具備した酸化還元電位測定装置本体
２  本考案のＵＳＢ機能を具備した酸化還元電位測定装置本体のカバー
３  液晶表示部
４  電源ボタン
５  ＩＤ番号選択ボタン
６  ＵＳＢ接続及びＩＤ番号決定ボタン
７  測定ボタン
８  被検液試料槽部
９  白金指示電極挿入部
１０  ＵＳＢ接続挿入口
１１  健康度デジタル表示機能部
１２  ＩＤ番号設定及び解除機能部
１３  入力ＩＤ番号判読機能部
１４  測定結果記憶ディスク
１５  ＵＳＢ接続ＯＮ、ＯＦＦ機能部
１６  交換式電池及び充電式電池機能部
１７  パソコンへの通信接続
１８  プリンタ等の周辺機器接続
１９  携帯電話への通信接続
２０  有線又は無線でデータ相互受信
２１  ＵＳＢドライブ（外部記憶ディスク）
２２  パソコン機器への挿入接続
２３  携帯電話機器への挿入接続
２４  医療機関への接続
２５  保育園、幼稚園、小・中・高校・大学への接続
２６  高齢者向け諸施設への接続
２７  高齢者の自宅介護家庭への接続
２８  畜産及び漁業、野菜・果実生産業者への接続
２９  空港・船舶の出入国口への接続
３０  一般家庭での利用者への接続
0003128892.tif 000003
【図１】
0003128892.tif 000004
【図２】
0003128892.tif 000005
【図３】
0003128892.tif 000006
【図４】
0003128892.tif 000007
【手続補正書】
【提出日】平成18年7月25日(2006.7.25)
【手続補正１】
【補正対象書類名】実用新案登録請求の範囲
【補正対象項目名】全文
【補正方法】変更
【補正の内容】
【実用新案登録請求の範囲】
【請求項１】
人間及び動物を含む生体内物質である唾液の酸化体と還元体との活量比率を測定し、少なくとも参照電極と指示電極を設け、指示電極に当接する試料溶液により、体調を総合的に評価するＵＳＢ相互接続を具備した酸化還元電位測定装置において、記憶ディスクを内蔵し、測定した個々のデータをパ−ソナルコンピュ−タ−と周辺機器間の通信インターフェースとのＵＳＢ相互接続を可能にして、測定された健康度状態の結果を健康管理のために統合的に測定、管理することができるようにしたことを特徴とするＵＳＢ機能を具備した酸化還元電位測定装置。
【請求項２】
ＵＳＢ接続ボタンを押してのみＵＳＢの接続がＯＮ又はＯＦＦされ、測定した個々のデータをパーソナルコンピューターと周辺機器の通信インターフェイスとのＵＳＢ接続を可能にした請求項１に記載の測定された健康度状態の結果を健康管理のために統合的に測定、管理することができるようにしたことを特徴とするＵＳＢ機能を具備した酸化還元電位測定装置。
【請求項３】
あらかじめ登録されたＩＤ番号を、その都度入力し、入力ＩＤ番号を照合された後、ＵＳＢ接続ボタンを押してのみＵＳＢ接続がＯＮされ、測定した個々のデータをパ−ソナルコンピュ−タ−と周辺機器の通信インターフェイスとのＵＳＢ接続を可能にした請求項１、又は２に記載の測定された健康度状態の結果を健康管理のために統合的に測定、管理することができるようにしたことを特徴とするＵＳＢ機能を具備した酸化還元電位測定装置。
【請求項４】
ＩＤ番号を任意で設定、若しくは解除し、ＵＳＢ接続ボタンを押してのみＵＳＢ接続がＯＮされ、測定した個々のデータをパ−ソナルコンピュ−タ−と周辺機器の通信インターフェイスとのＵＳＢ接続を可能にした請求項１、２、又は３に記載の測定された健康度状態の結果を健康管理のために統合的に測定、管理することができるようにしたことを特徴とするＵＳＢ機能を具備した酸化還元電位測定装置。
【請求項５】
ＵＳＢ機能を具備した酸化還元電位測定装置の電源は交換式の乾電池と充電式の乾電池機能を備えた請求項１、２、３、又は４に記載の測定された健康度状態の結果を健康管理のために統合的に測定、管理することができるようにしたことを特徴とするＵＳＢ機能を具備した酸化還元電位測定装置。
【手続補正２】
【補正対象書類名】明細書
【補正対象項目名】０００５
【補正方法】変更
【補正の内容】
【０００５】人間及び動物を含む生体内物質である唾液の酸化体と還元体との活量比率を測定し、少なくとも参照電極と指示電極を設け、指示電極に当接する試料溶液により、体調を総合的に評価するＵＳＢ相互接続を具備した酸化還元電位測定装置においては公知の通り、ＵＳＢ接続出来ることはＵＳＢドライブの利用ができ、測定データをバックアップし、パ−ソナルコンピューターに差し込み、健康管理のための統合的に測定、管理することができるようにした。また、ＵＳＢ接続を可能にしたことにより、有線又は無線でデータを受信可能な携帯電話と、その携帯電話からインタ−ネットを介して遠距離との健康管理に役立てるようにした。
【手続補正３】
【補正対象書類名】明細書
【補正対象項目名】００１０
【補正方法】変更
【補正の内容】
【００１０】本考案のＵＳＢ機能を具備した酸化還元電位測定装置によって測定された健康度状態のデータを、プライバシーを勘案したセキュリティー対策として、あらかじめ登録されたＩＤ番号を、その都度入力し、入力ＩＤ番号を照合された後、ＵＳＢ接続ボタンを押してのみＵＳＢ接続がＯＮされ、通信インターフェイス機能を安全に利用できるように配慮した。さらに、ＩＤ番号を任意で設定、若しくは解除できるようにしてセキュリティーに万全対策をしている。
【手続補正４】
【補正対象書類名】明細書
【補正対象項目名】００１４
【補正方法】変更
【補正の内容】
【００１４】そこで、図２においてＵＳＢ機能を具備した酸化還元電位測定装置１は本体の横にＵＳＢ接続挿入口１０を設けることにより２１のＵＳＢドライブを挿入し、貴重なデータをバックアップして保存できる。
【手続補正５】
【補正対象書類名】明細書
【補正対象項目名】００１５
【補正方法】変更
【補正の内容】
【００１５】本考案のＵＳＢ機能を具備した酸化還元電位測定装置１を、図５によって説明する。人間の生体液による個人個人の健康度を測定できることから、健康度データの流失を防ぎ、プライバシーを守る観点から、まず、電源ボタン４を押しＯＮする。次にＩＤ番号選択ボタン５を設け、液晶表示部３に０乃至９までの数値が表示され、あらかじめ設定したＩＤ番号との照合をするために、ＩＤ番号を選択ボタン５により、ＩＤ番号の入力をしたのち入力されたＩＤ番号判読機能部１３によって照合され、ＩＤ番号が合致した場合にはＩＤ番号設定及び解除機能部１２を経て、さらにＵＳＢ接続及びＩＤ番号決定ボタン６のＯＮによる任意の操作により、はじめてＵＳＢ接続挿入口１０を介して通信インターフェイス機能及びＵＳＢドライブ２１の利用が果たせる。ＵＳＢ自動接続システムでは、何ら意識することなく情報流出の危険性が高いのでこれらを防ぐようにした。しかるに、ＩＤ番号選択ボタン５及びＵＳＢ接続及びＩＤ番号決定ボタン６の操作によってＩＤ番号を任意で設定、若しくは解除でき、ＩＤ番号設定の照合操作は繰返し行うことができるのである。
【手続補正６】
【補正対象書類名】明細書
【補正対象項目名】００１７
【補正方法】変更
【補正の内容】
【００１７】ＵＳＢ接続挿入口１０によって、パソコンへの通信接続１７及びプリンタ等の周辺機器接続１８への環境が整うのである。このことは携帯電話への通信接続１９や有線又は無線でデータ相互受信２０の利用が広がり、ＵＳＢドライブ２１によって、固定化された場所でなく、いつでもどこでもパソコン機器への挿入接続２２、携帯電話機器への挿入接続２３によって健康管理のために統合的に測定、管理することができる。
【手続補正７】
【補正対象書類名】明細書
【補正対象項目名】００２１
【補正方法】変更
【補正の内容】
【００２１】
【図１】本考案にかかるＵＳＢ機能を具備した酸化還元電位測定装置本体の斜視図である。
【図２】図１のＵＳＢ機能を具備した酸化還元電位測定装置においてＵＳＢドライブを挿入状態の斜視図である。
【図３】本考案実施における人間の唾液臨床、風邪及びインフルエンザにおける測定結果を示すグラフである。
【図４】本考案を実施するためのＵＳＢ機能を具備した酸化還元電位測定装置本体とＵＳＢ接続との概略図である。
【図５】本考案のＵＳＢ接続におけるセキュリティーを考慮した任意でのＩＤ番号入力設定からＵＳＢ接続までのフローチャートである。
【手続補正８】
【補正対象書類名】明細書
【補正対象項目名】００２２
【補正方法】変更
【補正の内容】
【００２２】  １  本考案のＵＳＢ機能を具備した酸化還元電位測定装置本体
２  本考案のＵＳＢ機能を具備した酸化還元電位測定装置本体のカバー
３  液晶表示部
４  電源ボタン
５  ＩＤ番号選択ボタン
６  ＵＳＢ接続及びＩＤ番号決定ボタン
７  測定ボタン
８  被検液試料槽部
９  白金指示電極挿入部
１０  ＵＳＢ接続挿入口
１１  健康度デジタル表示機能部
１２  ＩＤ番号設定及び解除機能部
１３  入力ＩＤ番号判読機能部
１４  測定結果記憶ディスク
１５  ＵＳＢ接続ＯＮ、ＯＦＦ機能部
１６  交換式電池及び充電式電池機能部
１７  パソコンへの通信接続
１８  プリンタ等の周辺機器接続
１９  携帯電話への通信接続
２０  有線又は無線でデータ相互受信
２１  ＵＳＢドライブ
２２  パソコン機器への挿入接続
２３  携帯電話機器への挿入接続
２４  医療機関への接続
２５  保育園、幼稚園、小・中・高校・大学への接続
２６  高齢者向け諸施設への接続
２７  高齢者の自宅介護家庭への接続
２８  畜産及び漁業、野菜・果実生産業者への接続
２９  空港・船舶の出入国口への接続
３０  一般家庭での利用者への接続
【手続補正９】
【補正対象書類名】図面
【補正対象項目名】全図
【補正方法】変更
【補正の内容】
【図１】
0003128892.tif 000008
【図２】
0003128892.tif 000009
【図３】
0003128892.tif 000010
【図４】
0003128892.tif 000011
【図５】
0003128892.tif 000012
【手続補正書】
【提出日】平成18年10月19日(2006.10.19)
【手続補正２】
【補正対象書類名】実用新案登録請求の範囲
【補正対象項目名】全文
【補正方法】変更
【補正の内容】
【実用新案登録請求の範囲】
【請求項１】
人間及び動物を含む生体内物質である唾液の酸化体と還元体との活量比率を測定し、少なくとも参照電極と指示電極を設け、指示電極に当接する試料溶液により、体調を総合的に評価するＵＳＢドライブを挿入できる酸化還元電位測定装置において、記憶ディスクを内蔵し、測定した個々のデータをパ−ソナルコンピュ−タ−と周辺機器間の通信インターフェースとの相互接続を可能にして、測定された体調度状態の結果を健康管理のために統合的に測定、管理することができるようにしたことを特徴とするＵＳＢドライブを挿入できる酸化還元電位測定装置。
【請求項２】
ＵＳＢ接続ボタンを押してのみＵＳＢの接続がＯＮ又はＯＦＦされ、測定した個々のデータをパーソナルコンピューターと周辺機器の通信インターフェイスとの相互接続を可能にした請求項１に記載の測定された健康度状態の結果を健康管理のために統合的に測定、管理することができるようにしたことを特徴とするＵＳＢドライブを挿入できる酸化還元電位測定装置。
【請求項３】
あらかじめ登録されたＩＤ番号を、その都度入力し、入力ＩＤ番号を照合された後、ＵＳＢ接続ボタンを押してのみＵＳＢ接続がＯＮされ、測定した個々のデータをパ−ソナルコンピュ−タ−と周辺機器の通信インターフェイスとの相互接続を可能にした請求項１、又は２に記載の測定された健康度状態の結果を健康管理のために統合的に測定、管理することができるようにしたことを特徴とするＵＳＢドライブを挿入できる酸化還元電位測定装置。
【請求項４】
ＩＤ番号を任意で設定、若しくは解除し、ＵＳＢ接続ボタンを押してのみＵＳＢ接続がＯＮされ、測定した個々のデータをパ−ソナルコンピュ−タ−と周辺機器の通信インターフェイスとの相互接続を可能にした請求項１、２、又は３に記載の測定された健康度状態の結果を健康管理のために統合的に測定、管理することができるようにしたことを特徴とするＵＳＢドライブを挿入できる酸化還元電位測定装置。
【請求項５】
ＵＳＢドライブを挿入できる酸化還元電位測定装置の電源は交換式の乾電池と充電式の乾電池機能を備えた請求項１、２、３、又は４に記載の測定された健康度状態の結果を健康管理のために統合的に測定、管理することができるようにしたことを特徴とするＵＳＢドライブを挿入できる酸化還元電位測定装置。
【手続補正３】
【補正対象書類名】明細書
【補正対象項目名】０００１
【補正方法】変更
【補正の内容】
【０００１】本考案は溶液の酸化還元電位を測定するＵＳＢを挿入できる酸化還元電位測定装置にかんする。
【手続補正４】
【補正対象書類名】明細書
【補正対象項目名】０００３
【補正方法】変更
【補正の内容】
【０００３】本考案は、生体液のような緩衝能力の低い試料溶液や少量の試料溶液であってもその酸化還元電位を簡易に、正確に測定しうるだけでなく記憶ディスクを内蔵し、測定した個々のデータをパーソナルコンピューターと周辺機器間の通信インターフェイスとの相互接続を可能にし、プライバシー保護として、ＩＤ番号を任意で設定若しくは解除できるセキュリティー対策を設けたＵＳＢドライブを挿入できる酸化還元電位測定装置を提供する。
【手続補正５】
【補正対象書類名】明細書
【補正対象項目名】０００４
【補正方法】変更
【補正の内容】
【０００４】【課題を解決するための手段】この課題を解決するために本考案にかかるＵＳＢドライブを挿入できる酸化還元電位測定装置は、すくなくとも参照電極と指示電極を設け、指示電極に当接する試料溶液の酸化還元電位を測定する酸化還元電位測定装置において、当該酸化還元測定装置は記憶ディスクを内蔵し、個々のデータをパーソナルコンピュ−タ−と周辺機器間の通信インターフェイスとの相互接続を可能にして、健康管理のために統合的に測定、管理することができるようにした。【手続補正６】
【補正対象書類名】明細書
【補正対象項目名】０００５
【補正方法】変更
【補正の内容】
【０００５】人間及び動物を含む生体内物質である唾液の酸化体と還元体との活量比率を測定し、少なくとも参照電極と指示電極を設け、指示電極に当接する試料溶液により、体調を総合的に評価するＵＳＢドライブを挿入できる酸化還元電位測定装置によって、ＵＳＢドライブの利用ができ、測定データをバックアップし、パ−ソナルコンピュ−タ−に差し込み、健康管理のための統合的に測定、管理することができるようにした。また、ＵＳＢ接続を可能にしたことにより、有線又は無線でデータを受信可能な携帯電話と、その携帯電話からインタ−ネットを介して遠距離との健康管理に役立てるようにした。
【手続補正７】
【補正対象書類名】明細書
【補正対象項目名】０００７
【補正方法】変更
【補正の内容】
【０００７】そこでパーソナルコンピューターと周辺機器間の通信インターフェイスとの相互接続を可能にした本考案の酸化還元電位測定装置において、通信機器からの微弱な電磁波によるノイズあるいは電流によるノイズを受け生体液の酸化還元電位の測定精度の影響を受けることがないように、本考案の酸化還元電位測定装置本体の内壁には電磁波防御シールドを施すとともに、記憶ディスクをも内蔵しているから、測定時には、ＵＳＢ接続ボタンの任意のＯＦＦによってノイズの影響を完全遮断するようにした。記憶ディスクは所定の記憶容量を超えた場合は、公知の記憶ディスクと同様に任意で前データを消去し、新規測定データを記録する。測定後は、記憶ディスクに格納された測定データをＵＳＢ接続をＯＮすることでＵＳＢドライブを挿入できる酸化還元電位測定装置は通信インターフェイスとしての機能となり、酸化還元電位測定への影響はなく（あるいはそのおそれが極めて小さく）、再現精度の高い測定を実現し、その正確な測定結果を距離に関係なく健康管理のために統合的に測定、管理することができるようにした。
【手続補正８】
【補正対象書類名】明細書
【補正対象項目名】０００９
【補正方法】変更
【補正の内容】
【０００９】近年、人々だけでなく、食糧品及び生産物の世界交流が盛んになり、それとともに種々の病原菌ウイルス感染が懸念される。そこで、万が一感染が確認されても、どの地域、どの年齢層の感染状況であるかなどを把握し、本考案のＵＳＢドライブを挿入できる酸化還元電位測定装置で乳幼児から高齢者に至るまで、健康状態を確認し早期の対応を図れるのである。
【手続補正９】
【補正対象書類名】明細書
【補正対象項目名】００１０
【補正方法】変更
【補正の内容】
【００１０】本考案のＵＳＢドライブを挿入できる酸化還元電位測定装置によって測定された体調度状態のデータを、プライバシーを勘案したセキュリティー対策として、あらかじめ登録されたＩＤ番号を、その都度入力し、入力ＩＤ番号を照合された後、ＵＳＢ接続ボタンを押してのみＵＳＢ接続がＯＮされ、通信インターフェイス機能を安全に利用できるように配慮した。さらに、ＩＤ番号を任意で設定、若しくは解除できるようにしてセキュリティー対策をしている。
【手続補正１０】
【補正対象書類名】明細書
【補正対象項目名】００１１
【補正方法】変更
【補正の内容】
【００１１】本考案を実施するにあたり、横浜・岡沢クリニックにおける人間の唾液の臨床データを［表１］によって幼児・小・中学生・高齢者の風邪及びインフルエンザの臨床結果を示す。前記による感染前後と治療通院での完治後の、本考案のＵＳＢドライブを挿入できる酸化還元電位測定装置による測定結果である。
【手続補正１１】
【補正対象書類名】明細書
【補正対象項目名】００１３
【補正方法】変更
【補正の内容】
【００１３】本考案のＵＳＢドライブを挿入できる酸化還元電位測定装置１の外観斜視図について説明する。図１においてＵＳＢドライブを挿入できる酸化還元電位測定装置本体のカバー２は、液晶表示部３及び電源ボタン４、ＩＤ番号選択ボタン５、ＵＳＢ接続及びＩＤ番号決定ボタン６、測定ボタン７を被膜し液晶表示部の汚れや傷を付けないようにしている。また、生体である唾液や植物、果実等の被検液を装填する試料槽８を設け、白金指示電極挿入部９より繋がる電極において測定する。さらに、本考案のＵＳＢドライブを挿入できる酸化還元電位測定装置はＵＳＢドライブ挿入口１０を設け、パーソナルコンピューターと周辺機器間の通信インターフェイス機能が果せる条件を満たす。
【手続補正１２】
【補正対象書類名】明細書
【補正対象項目名】００１４
【補正方法】変更
【補正の内容】
【００１４】そこで、図２においてＵＳＢドライブを挿入できる酸化還元電位測定装置１は本体の横にＵＳＢドライブ挿入口１０を設けることにより２１のＵＳＢドライブを挿入し、貴重なデータをバックアップして保存できる。
【手続補正１３】
【補正対象書類名】明細書
【補正対象項目名】００１５
【補正方法】変更
【補正の内容】
【００１５】従来、人間及び動物を含む生体内物質である唾液等の試料溶液の電解質測定において試料溶液中の酸化還元系物質が低い場合、あるいは試料溶液の性質が純水すぎる場合、電解質測定における酸化還元電位Ｅが不定となり、電位差測定の安定性が低下した。つまり、同じ試料溶液を同じ条件下で、ほぼ同じ時間に複数回測定したときの測定値が一定せず、その差も大きく不安定だった試料溶液中の電解質の濃度や酸化還元電位の絶対値測定を実現するために欠かせないのが、電流によるノイズや外部からの電磁波等のノイズを防ぐことが重要であることを突き止めた。これらの問題を解決した本考案のＵＳＢドライブを挿入できる酸化還元電位測定装置１を、図５によって説明する。人間の生体液による個人個人の体調度を測定できることから、体調度データの流失を防ぎ、プライバシーを守る観点から、まず、電源ボタン４を押しＯＮする。次にＩＤ番号選択ボタン５を設け、液晶表示部３に０乃至９までの数値が表示され、あらかじめ設定したＩＤ番号との照合をするためにＩＤ番号を選択ボタン５により、ＩＤ番号の入力をしたのち入力されたＩＤ番号判読機能部１３によって照合され、ＩＤ番号が合致した場合にはＩＤ番号設定及び解除機能部１２を経て、さらにＵＳＢ接続及びＩＤ番号決定ボタン６のＯＮによる任意の操作により、はじめてＵＳＢドライブ挿入口１０を介して通信インターフェイス機能との相互接続を可能とするＵＳＢドライブ２１の利用が果たせる。従来のＵＳＢ自動接続システムは、何ら意識することなく情報流出の危険性が高い。これらを防ぐようにし、ＩＤ番号選択ボタン５及びＵＳＢ接続及びＩＤ番号決定ボタン６の操作によってＩＤ番号を任意で設定、若しくは解除でき、ＩＤ番号設定の照合操作は繰返し行えるのである。
【手続補正１４】
【補正対象書類名】明細書
【補正対象項目名】００１６
【補正方法】変更
【補正の内容】
【００１６】さらには、図４の本考案を実施するためのＵＳＢドライブを挿入できる酸化還元電位測定装置本体とＵＳＢ接続との概略図について説明する。図４においてＵＳＢドライブを挿入できる酸化還元電位測定装置１であり、本考案健康度デジタル表示機能部１１を有し、ＩＤ番号設定及び解除機能部１２、セキュリティー対策として入力ＩＤ番号判読機能部１３、所定の記憶容量を超えた場合は公知の記憶ディスクと同様に前データを消去し、新規測定データを記録する測定結果記憶ディスク１４である。さらにＵＳＢ接続ＯＮ、ＯＦＦ幾能部１５を備え、交換ができる交換式電池及び充電式電池機能部１６を形成している。
【手続補正１５】
【補正対象書類名】明細書
【補正対象項目名】００１７
【補正方法】変更
【補正の内容】
【００１７】ＵＳＢドライブ挿入口１０によって、パソコンへの通信接続１７及びプリンタ等の周辺機器接続１８への環境が整うのである。このことは携帯電話への通信接続１９や有線又は無線でデータ相互受信２０の利用が広がり、ＵＳＢドライブ２１によって、固定化された場所でなく、いつでもどこでもパソコン機器への挿入接続２２、携帯電話機器への挿入接続２３によって健康管理のために統合的に測定、管理することができる。
【手続補正１６】
【補正対象書類名】明細書
【補正対象項目名】００１９
【補正方法】変更
【補正の内容】
【００１９】なお本考案のＵＳＢドライブを挿入できる酸化還元電位測定装置１は、ＵＳＢ接続及びＩＤ番号決定ボタン６のＯＮ、ＯＦＦによってのみ通信インターフェイスが接続されるようにしている。通常は、本考案のＵＳＢドライブを挿入できる酸化還元電位測定装置は、通信機器からの微弱な電磁波によるノイズあるいは電流によるノイズを受け生体液の酸化還元電位測定の測定精度の影響を受けることがないように、本考案の酸化還元電位測定装置本体の内壁には電磁波防御シールドを施すとともに（図示せず）、記憶ディスクをも内蔵しているから測定時にはＵＳＢ接続は完全にＯＦＦされ、生体液の酸化還元電位はノイズの影響を受けることなく（あるいはそのおそれがきわめて小さく）再現精度の高い正確な測定をして測定結果を記憶ディスクに確実に記憶する。記憶ディスクが所定の記憶容量を超えた場合は、公知の記憶ディスクと同様に任意で前データを消去し、新規測定データを記録する。測定後は、記憶ディスクに格納された測定データをＵＳＢ接続をＯＮすることでＵＳＢドライブを挿入できる酸化還元電位測定装置は通信インターフェイスとしての機能となり、健康管理に大いに資するものと考える。
【手続補正１７】
【補正対象書類名】明細書
【補正対象項目名】００２０
【補正方法】変更
【補正の内容】
【００２０】本考案のＵＳＢドライブを挿入できる酸化還元電位測定装置により、パ−ソナルコンピュ−タ−と周辺機器間の通信インターフェースとの相互接続を可能にした。よって、本考案は産業分野のみならず、地球環境における生態系の根幹である酸化状態にあるか還元状態にあるかを総合的に示唆できることで食物連鎖の測定にも大いに資することから、未病段階での早期発見の健康管理計に関する産業分野での利用が期待できる。
【手続補正１８】
【補正対象書類名】明細書
【補正対象項目名】００２１
【補正方法】変更
【補正の内容】
【００２１】
【図１】本考案にかかるＵＳＢドライブを挿入できる酸化還元電位測定装置本体の斜視図である。
【図２】図１のＵＳＢドライブを挿入できる酸化還元電位測定装置においてＵＳＢドライブを挿入状態の斜視図である。
【図３】本考案実施における人間の唾液臨床、風邪及びインフルエンザにおける測定結果を示すグラフである。
【図４】本考案を実施するためのＵＳＢドライブを挿入できる酸化還元電位測定装置本体とＵＳＢ接続との概略図である。
【図５】本考案のＵＳＢ接続におけるセキュリティーを考慮した任意でのＩＤ番号入力設定からＵＳＢ接続までのフローチャートである。
【手続補正１９】
【補正対象書類名】明細書
【補正対象項目名】００２２
【補正方法】変更
【補正の内容】
【００２２】  １  本考案のＵＳＢドライブを挿入できる酸化還元電位測定装置本体  ２  本考案のＵＳＢドライブを挿入できる酸化還元電位測定装置本体のカバー  ３  液晶表示部  ４  電源ボタン  ５  ＩＤ番号選択ボタン  ６  ＵＳＢ接続及びＩＤ番号決定ボタン  ７  測定ボタン  ８  被検液試料槽部  ９  白金指示電極挿入部１０  ＵＳＢドライブ挿入口１１  健康度デジタル表示機能部１２  ＩＤ番号設定及び解除機能部１３  入力ＩＤ番号判読機能部１４  測定結果記憶ディスク１５  ＵＳＢ接続ＯＮ、ＯＦＦ機能部１６  交換式電池及び充電式電池機能部１７  パソコンへの通信接続１８  プリンタ等の周辺機器接続１９  携帯電話への通信接続２０  有線又は無線でデータ相互受信２１  ＵＳＢドライブ２２  パソコン機器への挿入接続２３  携帯電話機器への挿入接続２４  医療機関への接続２５  保育園、幼稚園、小・中・高校・大学への接続２６  高齢者向け諸施設への接続２７  高齢者の自宅介護家庭への接続２８  畜産及び漁業、野菜・果実生産業者への接続２９  空港・船舶の出入国口への接続３０  一般家庭での利用者への接続
【手続補正２０】
【補正対象書類名】図面
【補正対象項目名】全図
【補正方法】変更
【補正の内容】
【図１】
0003128892.tif 000013
【図２】
0003128892.tif 000014
【図３】
0003128892.tif 000015
【図４】
0003128892.tif 000016
【図５】
0003128892.tif 000017